(57)【要約】【課題】組立状態では緩衝性と強度があり、また破棄するときは簡単な操作により折り畳むことができる仕切付包装用箱を提供する。【解決手段】箱体の一側面１２から一体に設けられ、組立状態で箱体形成片１１の一部に糊付けされ箱体の開口部を閉鎖する上蓋片５２と、側面１２から上蓋片５２と反対側の端部に一体に設けられ箱体の反対側の開口部を閉鎖する内側底蓋片６０を有する。内側底蓋片６０が設けられた側面１２に対して略平行に位置する側面１６の端部に一体に設けられ、内側底蓋片６０の外側に糊付けされる外側底蓋片９２を備える。外側底蓋片９２は、連接された側面１６と反対側の先端部のほぼ全長にわたって内側底蓋片６０に糊付けされる。糊付けされた部分と外側底蓋片９２が連接する側面の折罫線９４との間には、外側底蓋片９２の一対の側縁部に達する分割用の断続した切込線９８を有する。【選択図】  図１
2004315010.tif 000002
【特許請求の範囲】
【請求項１】
一枚のブランクシートから一体的に打ち抜かれた箱体形成片により形成された仕切付包装用箱において、前記箱体形成片には、互いに平行に連接された側面と、前記側面の一つから一体に設けられ前記箱体形成片の組立状態で前記箱体形成片の一部に糊付けされ箱体の開口部を閉鎖し開封時に開かれる上蓋片と、前記側面の一つから上蓋片と反対側の端部に一体に設けられ箱体の反対側の開口部を閉鎖する内側底蓋片と、前記内側底蓋片が設けられた前記側面に対して略平行に位置する側面の端部に一体に設けられ前記内側底蓋片の外側に糊付けされる外側底蓋片が設けられ、前記外側底蓋片は、連接された前記側面と反対側の先端部のほぼ全長にわたって前記内側底蓋片に糊付けされ、糊付けされた部分と前記外側底蓋片が連接する側面の折罫線との間には、前記外側底蓋片の一対の側縁部に達する断続した分割用の切込線が設けられていることを特徴とする仕切付包装用箱。
【請求項２】
前記外側底蓋片に設けられた前記切込線は、中間が前記外側底蓋片が設けられた側面に近づく、くの字形に形成され、前記くの字形の頂部付近には、頂部付近を摘んで引き起こし前記切込線を破断するための摘む操作の補助となる透孔が形成されていることを特徴とする請求項１記載の仕切付包装用箱。
【請求項３】
前記上蓋片の先端に折罫線で区切られて設けられた差込片と、前記上蓋片が設けられた側面に対向する側面に折罫線で区切られて設けられ組立状態でこの側面の裏面に折り返される糊付片と、前記糊付片に対して折罫線で区切られて設けられ箱体の内部の空間を仕切る仕切片が設けられ、前記糊付片には、前記側面と区切られる折罫線に沿って所定長さの幅広の透孔が形成され、前記上蓋片の前記差込片の表面と、前記透孔から露出する前記側面裏面が部分的に糊付けされていることを特徴とする請求項１または２記載の仕切付包装用箱。
【請求項４】
前記上蓋片の先端に折罫線で区切られて設けられた差込片が設けられ、この差込片は、組み立て状態で対向する側面の外側に位置し、前記差込片のほぼ中央部には、外側に突出する摘み片が設けられ、前記摘み片の両側には、前記差込片が重ねられる前記側面に糊付けされる糊付片が、断続する分割用の切込線で区切られて設けられ、前記側面には、前記摘み片が当接する位置に摘み操作を補助する透孔が設けられていることを特徴とする請求項１または２記載の仕切付包装用箱。
【発明の詳細な説明】
【０００１】
【発明の属する技術分野】
この発明は、複数の同形の商品を各々区切って収容し、保管や運搬を行う仕切付包装用箱に関する。
【０００２】
【従来の技術】
【特許文献１】実公平７−４８５０５号公報
従来、紙製の一枚のブランクシートを打ち抜いて形成され、ワンタッチで組み立てられる仕切付包装用箱がある。仕切付包装用箱は、例えば、１枚のブランクシートから一体的に打ち抜かれた箱体形成片であり、箱体を形成する四側面と、糊付片上蓋片と底蓋片が一体に設けられている。一側面の側方に糊付片を介して複数の仕切片が等間隔に連接されている。仕切付包装用箱は、組立状態で仕切片により箱内部が区切られる。このため緩衝性が高く、例えばガラス製のバイアル瓶等、壊れやすい商品を保護することができる。
【０００３】
一方、紙製の一枚のブランクシートを打ち抜いて形成された包装用箱は、破棄処分する際に、包装用箱を簡単につぶすことができるものとして、実公平７−４８５０５号公報に開示されているような折り畳み容易な箱が提案されている。この箱は、外底板の先端中央付近に摘み部が設けられ、摘み部の両脇からこの外底板の基端部の折罫線両端部に達する一対の切離用弱化線が設けられている。そして外底板の、切離用弱化線の外側に位置する三角形の部分は、外底版の内側に位置する内底板に貼り付けられる貼着部となる。この折り畳み容易な箱は、使用後に処分する際は、外底板の摘み部を引き起こして切離用弱化線を切断する。外底板の貼着部は内底板の取り付けられたまま、外底板が分割され側面の形状維持機能を解除する。これにより側面は折り畳み可能となる。
【０００４】
【発明が解決しようとする課題】
前記従来の技術の仕切付包装用箱の場合、使用後に折り畳みを容易にする構造のものはなく、折り畳むためには底部を破断したり底面部の糊付けを剥がしたりと、力を加えて底面部や内部の仕切片を壊さなければならなかった。
【０００５】
また、実公平７−４８５０５号公報に開示されている折り畳み容易な箱のように、底部に切離用弱化線を設けて簡単に底部を分割する構造は、外底板の、切離用弱化線の外側に位置する三角形の部分が貼着部となるため、外底板の中央部分の貼着力が小さいものであり、ガラス製のバイアル瓶等、重量があり壊れやすい商品を保護することができなかった。従って、仕切付包装用箱に使用することはできないものであった。
【０００６】
この発明は、前記従来の問題点に鑑みてなされたものであり、組立状態では緩衝性と強度があり、また破棄するときは簡単な操作により折り畳むことができる仕切付包装用箱を提供することを目的とする。
【０００７】
【課題を解決するための手段】
この発明は、一枚のブランクシートから一体的に打ち抜かれた箱体形成片により形成された仕切付包装用箱であり、前記箱体形成片には、互いに平行に連接された側面と、前記側面の一つから一体に設けられ前記箱体形成片の組立状態で前記箱体形成片の一部に糊付けされ箱体の開口部を閉鎖し開封時に開かれる上蓋片と、前記側面の一つから上蓋片と反対側の端部に一体に設けられ箱体の反対側の開口部を閉鎖する内側底蓋片と、前記内側底蓋片が設けられた前記側面に対して略平行に位置する側面の端部に一体に設けられ前記内側底蓋片の外側に糊付けされる外側底蓋片が設けられている仕切付包装用箱である。前記外側底蓋片は、連接された前記側面と反対側の先端部のほぼ全長にわたって前記内側底蓋片に糊付けされている。そして、糊付けされた部分と前記外側底蓋片が連接する側面の折罫線との間には、前記外側底蓋片の一対の側縁部に達する分割用の断続した切込線が設けられている。
【０００８】
また、前記外側底蓋片に設けられた前記切込線は、中央部が前記外側底蓋片が連接した側面側に近づく、略くの字形に形成されている。前記くの字形の頂部付近には、頂部付近を摘んで引き起こし前記切込線を破断するための摘む操作の補助となる透孔が形成されている。
【０００９】
また、この仕切付包装用箱には、前記上蓋片の先端に折罫線で区切られて設けられた差込片と、前記上蓋片が設けられた側面に対向する側面に折罫線で区切られて設けられ組立状態でこの側面の裏面に折り返される糊付片と、前記糊付片に対して折罫線で区切られて設けられ箱体の内部の空間を仕切る仕切片が設けられている。前記糊付片には、前記側面と区切られる折罫線に沿って所定長さの幅広の透孔が形成され、前記上蓋片の前記差込片の表面と、前記透孔から露出する前記側面裏面が部分的に糊付けされている。
【００１０】
また、この仕切付包装用箱には、前記上蓋片の先端に折罫線で区切られて設けられた差込片が設けられ、前記差込片は、組み立て状態で対向する側面の外側に位置し、中央部付近が幅広くなる山形に前記折罫線から離れる方へ突出する形状であり、前記差込片の山形に突出した頂部には、外側に突出する摘み片が設けられ、前記摘み片の両側には、前記差込片が重ねられる前記側面に糊付けされる糊付片が、断続する分割用の切込線で区切られて設けられている。そして前記側面には、前記摘み片が当接する位置に摘み操作を補助する透孔が設けられている。
【００１１】
この発明の仕切付包装用箱は、外側底蓋片は、先端部が、内側底蓋片の折罫線全長にわたって糊付されて強固に組み立てられ、バイアルビンに入った薬剤なども安全で確実に収容、運搬することができる。外側底蓋片を分割するときは、糊付けされた外側底蓋片先端部よりも基端部の折罫線寄りに設けられた分割用の切込線を切断することにより、容易に外側底蓋片を分割し、側面保持機能を解除し、折り畳み可能となる。
【００１２】
【発明の実施の形態】
以下、この発明の実施形態について図面に基づいて説明する。図１〜図３は、この発明の第一実施形態を示すもので、この実施形態の仕切付包装用箱１０は、図３に示す箱体形成片１１が、紙製等の一枚のブランクシートを打ち抜いて形成されている。この箱体形成片１１は、側面１２，１４，１６，１８が一体に連接して形成されている。さらに側面１２の側縁部には、仕切付包装用箱１０の組立状態で側面１８の内側に糊付される糊付片２０が設けられている。糊付片２０，側面１２，１４，１６，１８は各々折罫線２２，２４，２６，２８で区切られている。
【００１３】
糊付片２０の側縁部には、中央仕切板３０が、折罫線３２で区切られて設けられている。中央仕切板３０の折罫線３２と反対側の側縁部は、組立状態で側面１４裏面に糊付けされる糊付片３４が、断続する切込線３６で区切られて設けられている。
【００１４】
中央仕切板３０の下端部３０ａには、第一仕切構成部３８が折罫線４０で区切られて設けられている。第一仕切構成部３８は、折罫線４０の一部を一辺とする直角三角形の折返部４２が、等間隔に４個設けられている。各折返部４２の間には、４枚の仕切片４４が、断続した切込線４６で各折返片４２と後述する糊付片５０と区切られて設けられている。仕切片４４の、折罫線４０から離れる方向へ突出している部分の周囲には、一枚の糊付片５０が設けられている。糊付片５０の側縁部は、中央仕切板３０の糊付片３４の側縁部の延長線上に位置している。また、図面上一番左に位置する仕切片４４の左側を区切る切込線４６は、折罫線４０に対してほぼ直角に設けられ、糊付片３４を中央仕切板３０と区切る切込線３６の延長上に位置している。
【００１５】
側面１２の第一仕切構成部３８と反対側の端部には、上蓋片５２が折罫線５４で区切られて設けられている。上蓋片５２の、折罫線５４と反対側の端部には、差込片５６が折罫線５８で区切られて設けられている。側面１２の、折罫線５４と反対側の端部には、内側底蓋片６０が、折罫線６２で区切られて設けられている。
【００１６】
側面１４の折罫線５４に隣接する端部には、矩形のフラップ６４が折罫線６６で区切られて設けられている。側面１４の折罫線６２に隣接する端部には、矩形のフラップ６８が折罫線７０で区切られて設けられている。
【００１７】
側面１６の折罫線６６に隣接する端部には、第二仕切構成部７２が折罫線７４で区切られて設けられている。第二仕切構成部７２は、折罫線７４の全長にわたり側面１６裏面に糊付けされる糊付片７６が設けられている。糊付片７６には、折罫線７４の約半分程度の長さであり、折罫７４線の中央部分よりもわずかの側面１８寄りに、図３において斜線を施した透孔７８が折罫線７４に沿って形成されている。透孔７８は、折罫線７４に沿う幅広の長細い形に設けられ、長手方向の中央部分に折罫線７４から離れるほうへ広がる凸状部８０が形成されている。なお、組立状態で糊付片７６が側面１６の裏面に糊付けされたとき、側面１６の、凸状部８０に対向する部分に、コの字形の開封用切込線８１が折罫線７４にその両端部が連続して設けられている。
【００１８】
第二仕切構成部７２は、糊付片７６の折罫線７４から離れる部分に、４枚の仕切片８２が設けられている。仕切片８２の周縁部は数箇所で破断する切込線８４，８５で、糊付片７６と、後述する糊付片８６と折返部８８と区切られて設けられている。そして、仕切片８２の糊付片７６から離れる方向へ突出する部分に隣接して、直角三角形の折返部８８が設けられている。折返片８８には、折罫線７４に対して平行な一辺が隣接する矩形の糊付片８６が、折罫線８７で区切られて設けられている。
【００１９】
側面１６の、折罫線７４と反対側の端部には、矩形の外側底蓋片９２が折罫線９４に区切られて設けられている。外側底蓋片９２は、外側底蓋片９２の先端部９２ａの近くに、先端部９２ａに対して平行な折罫線９６が設けられている。折罫線９６の両端部付近から、折罫線９４の中央部に向かい外側底蓋片９２の内側に向かう略くの字形に形成される断続した切込線９８が形成されている。切込線９８の折罫線９４に近い頂部には、折罫線９４に向かって膨らむ半円形の透孔１００が設けられている。
【００２０】
側面１８の、折罫線７４に隣接する端部には、矩形のフラップ１０２が折罫線１０４で区切られて設けられている。側面１８の、折罫線１０４と反対側の端部には、矩形のフラップ１０６が折罫線１０８で区切られて設けられている。
【００２１】
次にこの実施形態の仕切付包装用箱１０の組立方法について説明する。なお、ここでは図３が仕切付包装用箱１０の箱体形成片１１の表側を見たものものであり、箱体形成片１１の表面側が凸になる折り方を正折り、そして裏面側が凸になる折り方を逆折りを称する。
【００２２】
まず、糊付片７６の裏面に糊１１０を塗布し、折罫線７４を正折りして側面１６の裏面に糊付する。さらに折罫線８７逆折りして糊付片８６の裏面に糊１１２を塗布する。次に折罫線４０を正折りして、糊付片５０の表面に糊１１４を塗布し、折罫線３２を正折りして側面１２内側に糊付けする。糊付片３４の表面に糊１１８を塗布する。そして、折罫線２４を正折りして、糊付片８６の裏面を中央仕切板３０の表面に、糊付片３４の表面を側面１４の裏面に糊付する。次に糊付片２０の折罫線２２側の表面に糊１１６を塗布し、折罫線２８を正折りして側面１８裏面を側面２０の表面に糊付する。
【００２３】
次に商品を収容し包装する工場等において、折罫線２２，２４，２６，２８をおのおの９０°に正折りして四角形の箱体にする。このとき、中央仕切板３０側方の折罫線３６，３２は９０°に正折りされて中央仕切板３０は、側面１４，１８の間に、箱体の中心に沿って形成される。そして中央仕切板３０裏面に一体に取り付けられている第一仕切構成部３８は、４枚の仕切片４４が中央仕切板３０に対して直角に立ちあがり、中央仕切板３０と側面１２との間の空間を５等分する。また、中央仕切板３０表面に取り付けられている第二仕切構成部７２は、４枚の仕切片８２が中央仕切板３０に対して直角に立ちあがり、中央仕切板３０と側面１６との間の空間を５等分する。次に内側底蓋片６０の表面の、折罫線６２近傍に折罫線６２のほぼ全長に渡って糊１２０を塗布し、折罫線７０，１０８でフラップ６８，１０６を正折りし、その後折罫線６２で内側底蓋片６０を正折りし、その外側に折罫線９４で外側底蓋片９２を正折りして外側底蓋片９２の裏面を内側底蓋片６０表面に糊付する。
【００２４】
この後、この状態で箱体内に商品を入れる。商品はバイアル瓶に入れられた薬剤等である。そして、差込片５６の表面の所定位置に、糊１２２を塗布する。折罫線６６，１０４でフラップ６４，１０２を正折りし、その外側に折罫線５４で上蓋片５２を正折りし、さらに折罫線５８で差込片５６を側面１６の内側に差し込む。差込片５６の糊１２２は、側面１６の開封用切込線８１の内側に糊付され、閉鎖する。なお、この組立方法は、他の順番で行っても良い。
【００２５】
仕切付包装用箱１０を開封するときは、側面１６の開封用切込線８１の内側を押して破断し、開封用切込線８１の内側が差込片５６に糊付けられた状態で上蓋片５２を開封する。そして、中の商品を取り出す。
【００２６】
また、不要となった仕切付包装用箱１０を廃棄するときは、外側底蓋片９２の透孔１００に指を入れて透孔１００の周縁部を保持し、切込線９８を破断するように外側底蓋片９２先端部９２ａに向かって引く。切込線９８を破断すると、切込線９８の先端部９２ａ側の部分が内側底蓋片６０に糊付けられた状態で外側底蓋片９２を分割する。底部が分割されると各側面の形状維持機能が解除され、商品挿入前の折り畳み状態と同様に折り畳まれる。そして折罫線２４，２８を折り畳むと、仕切付包装用箱１０は各側面や各仕切片が平坦に折り畳まれ、破棄しやすくなる。
【００２７】
この実施形態の仕切付包装用箱１０によれば、廃棄する際に簡単な操作により外側底蓋片９２を分割して平坦に折り畳むことができる。外側底蓋片９２を分割する切込線９８は、先端部９２ａから離れて設けられているため、先端部９２ａは内側底蓋片６０の折罫線６２全長にわたって糊１２０により糊付けすることができる。これにより仕切付包装用箱１０は強固に組み立てられ、バイアルビンに入った薬剤なども安全で確実に収容、運搬することができる。内側は仕切片４４，８２で収容部が区切られているため、緩衝性が高く、収容物を安全に運搬することができる。また、側面１６の裏面に糊付されている糊付片７６は、開封用切込線８１に対面する部分に幅広の透孔７８が形成されているため、透孔７８から露出する側面１６裏面が、上蓋片５２の差込片５６に確実に糊付される。透孔７８は開封用切込線８１が対面する凸状部８０よりも折罫線７４に沿って長く設けられているため、差込片５６が透孔７６とその周りの部分の段差で急な角度に折り曲げられることがなく、糊付けしやすく隙間も空きにくい。また、側面１２，１６が、糊付片５０，７６で、２重構造になっているため、緩衝性が高く、組み立てが強固である。
【００２８】
次にこの発明の第二実施形態について図４，図５に基づいて説明する。ここで、前記実施形態と同様の構成は同一符号を付して説明を省略する。この実施形態の仕切付包装用箱１２４は、図５に示す箱体形成片１２６が、紙製等の一枚のブランクシートを打ち抜いて形成されている。
【００２９】
そして、側面１２の折罫線６２と反対の端部には、上蓋片１２８が折罫線１３０で区切られて設けられている。上蓋片１２８の折罫線１３０と反対側の端縁部には、差込片１３２が折罫線１３４で区切られて設けられている。折罫線１３４には、断続した切込線が設けられている。差込片１３２は、折罫線１３４の中央部付近が幅広くなる山形にに形成され、折罫線１３４から離れる方へ突出する山形状である。差込片１３２の山形に突出した頂部には、外側に半円状に突出する摘み片１３６が折罫線１３８で区切られて設けられている。差込片１３２の、摘み片１３６の両側には、矩形の糊付片１４０が、断続した開封用切込線１４２で区切られて設けられている。
【００３０】
側面１６の、折罫線９４と反対の端部には、側面１６から離れるに従い幅がわずかに狭くなる台形状の糊付片１４４が折罫線１４６で区切られて設けられている。折罫線１４６の中心には、側面１６と糊付片１４４にまたがる円形の透孔１４８が形成されている。糊付片１４４の折罫線１４６と反対側の端部には、第二仕切構成部１５０が折罫線１５２で区切られて設けられている。第二仕切構成部１５０は、折罫線１５２の一部を一辺とする直角三角形の折返部１５４が、等間隔に４枚設けられている。各折返部１５４の間には、４枚の仕切片１５６が、切り込みが断続した切込線１５８，１５９で、各折返片１５４と後述する糊付片１７２と区切られて設けられている。仕切片１５６の折罫線１５２から離れる方向へ突出している部分の間には、直角三角形の糊付片１７２が設けられている。
【００３１】
側面１６の中央付近には、透孔１４８の少し折罫線９４寄りの位置に、透孔１７３が形成されている。透孔１７３は、透孔１４８の反対方向に二辺が湾曲された矩形のような形状である。
【００３２】
次にこの実施形態の仕切付包装用箱１２４の組立方法について説明する。なお、ここでは図５が仕切付包装用箱１２４の箱体形成片１２６の表側を見たものものであり、箱体形成片１２６の表面側が凸になる折り方を正折り、そして裏面側が凸になる折り方を逆折りを称する。
【００３３】
まず、糊付片１４４の裏面に糊１７４を塗布し、折罫線１４６を正折りして側面１６の裏面に糊付する。さらに折罫線１５２逆折りして糊付片１７２の裏面に糊１７６を塗布する。次に折罫線４０を正折りして、糊付片５０の表面に糊１１４を塗布し、折罫線３２を正折りして側面１２内側に糊付けする。糊付片３４の表面に糊１１８を塗布する。そして、折罫線２４を正折りして、糊付片１７２の裏面を中央仕切板３０の表面に、糊付片３４の表面を側面１４の裏面に糊付する。次に糊付片２０の折罫線２２側の表面に糊１１６を塗布し、折罫線２８を正折りして側面１８裏面を側面２０の表面に糊付する。
【００３４】
次に商品を収容し包装する工場等において、折罫線２２，２４，２６，２８をおのおの９０°に正折りして四角形の箱体にする。このとき、中央仕切板３０は、側面１４，１８の間に、箱体の中心に沿って形成される。そして中央仕切板３０裏面に一体に取り付けられている第一仕切構成部３８の仕切片４４は中央仕切板３０に対して直角に立ちあがり、中央仕切板３０と側面１２との間の空間を５等分する。また、中央仕切板３０表面に取り付けられている第二仕切構成部１５０の仕切片１５６は中央仕切板３０に対して直角に立ちあがり、中央仕切板３０と側面１６との間の空間を５等分する。次に内側底蓋片６０の表面に糊１２０を塗布し、折罫線７０，１０８でフラップ６８，１０６を正折りし、その後折罫線６２で内側底蓋片６０を正折りし、その外側に折罫線９４で外側底蓋片９２を正折りして外側底蓋片９２の裏面を内側底蓋片６０表面に糊付する。
【００３５】
この後、この状態で箱体内に商品を入れる。商品はバイアル瓶に入れられた薬剤等である。そして、糊付片１４０の裏面に糊１７８を塗布する。折罫線６６，１０４でフラップ６４，１０２を正折りし、その外側に折罫線１３０で上蓋片１２８を正折りし、さらに折罫線１３４で差込片１３２と糊付片１４０を側面１６の外側に重ね、糊１７８が側面１６の表面に糊付され、閉鎖する。このとき、差込片１３２の摘み片１３６は、透孔１７３の一部を覆う。なお、この組立方法は、他の順番で行っても良い。
【００３６】
仕切付包装用箱１２４を開封するときは、差込片１３２の摘み片１３６を保持して引き上げ、開封用切込線１４２を破断し、糊付片１４０が側面１６に糊付けられた状態で上蓋片１２８を開封する。開封後に上蓋片１２８を閉じるときは、差込片１３２を側面１６の内側に差し込み係止する。
【００３７】
そして、中の商品を取り出し、不要となった仕切付包装用箱１２４を、廃棄するために折り畳むときは、前記第一実施形態と同様の方法で外側底蓋片９２を分解し、各側面や各仕切片が平坦に折り畳まれる。
【００３８】
この実施形態の仕切付包装用箱１２４によれば、前記実施の形態と同様の効果を有し、開封時には摘み片１３６が透孔１７３に重ねられているため空間が生じ、保持しやすく、開封が容易となる。また、開封部分がわかりやすく、この点からも開封しやすいものである。
【００３９】
なお、この発明の仕切付包装用箱は、前記各実施形態に限定されず、仕切片の数や形状、中央仕切片の有無、開封用切込線の位置や長さなど、自由に変更可能である。
【００４０】
【発明の効果】
この発明の仕切付包装用箱は、破棄する際に簡単な操作により底蓋片を分解して側面保持機能を解除させて、各側面や上蓋片等を平坦に折り畳むことができる。しかも、組立強度と緩衝性が高く、バイアルビンなど比較的重いものや破損しやすいものでも安全で確実に収容、運搬することができる。
【００４１】
また、開封も容易であり、箱体の強度も高く、高い緩衝性を有しているので、バイアルビン等の収納にも適している。
【図面の簡単な説明】
【図１】この発明の第一実施形態の仕切付包装用箱の外側底蓋片を見た斜視図である。
【図２】この実施形態の仕切付包装用箱の側面を見た斜視図である。
【図３】この実施形態の仕切付包装用箱の展開図である。
【図４】この発明の第二実施形態の仕切付包装用箱の側面を見た斜視図である。
【図５】この実施形態の仕切付包装用箱の展開図である。
【符号の説明】
１０  仕切付包装用箱
１１  箱体形成片
１２，１４，１６，１８  側面
２０，３４，５０，７６，８６  糊付片
３０  中央仕切板
３６，４６，８４，９８  切込線
３８  第一仕切構成部
４２，８８  折返部
４４，８２  仕切片
５２  上蓋片
５６  差込片
６０  内側底蓋片
６４，６８，１０２，１０６  フラップ
７２  第二仕切構成部
７８，１００  透孔
８０  凸状部
８１  開封用切込線
９２  外側底蓋片
【図１】
2004315010.tif 000003
【図２】
2004315010.tif 000004
【図３】
2004315010.tif 000005
【図４】
2004315010.tif 000006
【図５】
2004315010.tif 000007